(57)【要約】【課題】　部品点数が低減し、簡易な構造の磁気記録／再生装置のピンチローラーユニットを提供する。【解決手段】　本発明の磁気記録／再生装置のピンチローラーユニットは、メインデッキに回転自在に枢支され、ローディングされるサブデッキに連動してキャプスタン軸に向けて回動する回動レバーと、前記回動レバーの一端に回転自在に取り付けられ、ローディング時に前記キャプスタン軸に当接するピンチローラーと、前記メインデッキを少なくともいずれか一方向に摺動する摺動部材に押し付けられ圧縮されつつ、前記回動レバーを前記キャプスタン軸側に付勢するトーションばねとを含むことを特徴とする。【選択図】　　　図２
2004103227.tif 000002
【特許請求の範囲】
【請求項１】
　ヘッドドラムとキャプスタン軸が取り付けられたメインデッキに対し摺動自在に設けられるサブデッキに連動するように前記メインデッキに枢支され、テープを前記キャプスタン軸に圧着させる磁気記録／再生装置のピンチローラーユニットにおいて、
　前記メインデッキに回転自在に枢支され、ローディングされるサブデッキに連動して前記キャプスタン軸に向けて回動する回動レバーと；
　前記回動レバーの一端に回転自在に取り付けられ、ローディング時に前記キャプスタン軸に当接するピンチローラーと；
　前記メインデッキを少なくともいずれか一方向に摺動する摺動部材に押し付けられ圧縮されつつ、前記回動レバーを前記キャプスタン軸側に付勢するトーションばねとを含むことを特徴とする磁気記録／再生装置のピンチローラーユニット。
【請求項２】
　前記トーションばねが、前記回動レバーに同軸に取り付けられ、前記回動レバーから抜き止められていることを特徴とする請求項１に記載の磁気記録／再生装置のピンチローラーユニット。
【請求項３】
　前記トーションばねが、前記摺動部材による押し付けまたは押し付け解除により所定の角度圧縮または圧縮解除されることを特徴とする請求項１に記載の磁気記録／再生装置のピンチローラーユニット。
【請求項４】
　前記少なくともいずれか一方向が、前記サブデッキを移動させるための方向であることを特徴とする請求項１に記載の磁気記録／再生装置のピンチローラーユニット。
【請求項５】
　前記回動レバーが突起を含み、
　前記サブデッキが磁気記録／再生装置内にローディング時、前記サブデッキが前記突起に当接し前記回動レバーを押し上げることを特徴とする請求項１に記載の磁気記録／再生装置のピンチローラーユニット。
【発明の詳細な説明】
【技術分野】
【０００１】
　本発明は、磁気記録／再生装置に関し、より詳しくは、テープカセットから引き出されヘッドドラムに当接するようにローディングされるテープをキャプストン軸に圧着させるための磁気記録／再生装置のピンチローラーユニットに関する。
【背景技術】
【０００２】
　一般に、磁気記録／再生装置は、磁気テープのような記録媒体に情報を記録し、該記録された情報を再生する装置であって、ＶＣＲ（Ｖｉｄｅｏ　Ｃａｓｓｅｔｔｅ　Ｔａｐｅ　Ｒｅｃｏｒｄｅｒ）、カムコーダー等がある。
【０００３】
　図１を参照すると、磁気記録／再生装置は、ヘッドドラム１１が回転自在に取り付けられるメインデッキ１０と、このメインデッキ１０にＡ方向に往復動自在に取り付けられるメイン摺動部材１３と、メインデッキ１０にＢ方向に往復動自在に設けられるサブデッキ２０と、サブデッキ２０に収められるカセットテープの２つのテープリールがそれぞれ収められ、いずれか一方のテープリールを駆動してテープを巻き取るリールテーブル１５と、サブデッキ２０のローディング時にテープがヘッドドラム１１に巻き付けられるように搬送し支える一対のポールベースユニット１６、１７と、ローディングされたテープの走行をガイドするテープガイド装置とを具備する。
【０００４】
　前記テープガイド装置は、メインデッキ１０に固定されたキャプスタン軸１８と、前記メイン摺動部材と連動しながらテープをキャプスタン軸１８に圧着させるピンチローラーユニット３０と、テープに一定の張力を与えるレビューアームユニット１９とを具備する。
【０００５】
　前記構成において、ピンチローラーユニット３０は、メインデッキ１０に回動自在に枢支される回動レバー３１と、この回動レバー３１の端部に回転自在に取り付けられるピンチローラー３３と、回動レバー３１の回動軸上で回転する加圧レバー３５及び加圧レバー３５と回動レバー３１とを連結する引張りばね３７とを具備する。
【０００６】
　回動レバー３１は、ローディングされるサブデッキ２０に押し付けられて回動し、ピンチローラー３３は、キャプスタン軸１８に当接する。そして、サブデッキ２０のローディング後に、メイン摺動部材１３が移動しながら加圧レバー３５の下端を左側に押し付ける。その結果、加圧レバー３５が時計回りに回転しながら引張りばね３７が引き伸ばされる。この引張りばね３７の引張力によりピンチローラー３３はキャプスタン軸１８に圧着する。
【０００７】
　ところで、前記のような構成を有する従来のピンチローラーユニット３０では、部品点数が多いため空間を多く占め、組立工程が多くなるという不具合がある。また、部品点数が多く、コストアップにもつながるという不具合がある。
【発明の開示】
【発明が解決しようとする課題】
【０００８】
　本発明は、前記のような問題点を解決するためになされたものであって、その目的は、部品点数を低減し、簡易な構造に改善された磁気記録／再生装置のピンチローラーユニットを提供することである。
【課題を解決するための手段】
【０００９】
　前記目的を達成するための本発明の磁気記録／再生装置のピンチローラーユニットは、ヘッドドラムとキャプスタン軸が取り付けられたメインデッキに対し摺動自在に設けられるサブデッキに連動するように前記メインデッキに枢支され、テープを前記キャプスタン軸に圧着させる磁気記録／再生装置のピンチローラーユニットにおいて、前記メインデッキに回転自在に枢支され、ローディングされるサブデッキに連動して前記キャプスタン軸に向けて回動する回動レバーと；前記回動レバーの一端に回転自在に取り付けられ、ローディング時に前記キャプスタン軸に当接するピンチローラーと；前記メインデッキを少なくともいずれか一方向に摺動する摺動部材に押し付けられ圧縮されつつ、前記回動レバーを前記キャプスタン軸側に付勢するトーションばねとを含むことを特徴とする。
【００１０】
　なお、前記トーションばねは、前記回動レバーに同軸に取り付けられ、前記回動レバーから抜き止められていることが好ましい。また、前記トーションばねは、前記摺動部材による押し付けまたは押し付け解除により所定の角度圧縮または圧縮解除されることがよい。
【００１１】
　更に、前記少なくともいずれか一方向は、前記サブデッキを移動させるための方向であることがよい。また、前記回動レバーは突起を含み、前記サブデッキが磁気記録／再生装置内にローディング時、前記サブデッキが前記突起に当接し前記回動レバーを押し上げるようになっていることがよい。
【発明の効果】
【００１２】
　以上で説明したように、本発明の磁気記録／再生装置のピンチローラーユニットによると、単一のトーションばねを用いてピンチローラーが取り付けられている回動レバーを付勢する構成をなすことにより、従来のピンチローラーユニットに比して部品点数を大幅に低減することができる。
【００１３】
　従って、コストが低減し、設計が容易になる。また、組立工程が低減し、生産性が向上するという長所がある。
【発明を実施するための最良の形態】
【００１４】
　以下に添付図面を参照しながら、本発明に係る磁気記録／再生装置のピンチローラーユニットの好適な実施の形態について詳細に説明する。
【００１５】
　図２は、本発明の実施の形態に係るピンチローラーユニットが適用された磁気記録／再生装置を示す概略的な平面図である。メインデッキ４０上にヘッドドラム４１が回転自在に取り付けられる。また、メインデッキ４０には、Ａ方向に往復動自在な摺動部材４３と、Ｂ方向に往復動自在なサブデッキ５０が取り付けられる。サブデッキ５０には、テープカセットのテープリールが収められるリールテーブル５１が左右一対に取り付けられる。また、メインデッキ４０には、サブデッキ５０のローディング時にテープカセットからのテープをヘッドドラム４１に巻き付けるようにガイドする一対のポールベースユニット４５が取り付けられる。各ポールベースユニット４５は、メインデッキ４０に取り付けられる駆動モーター４７から動力を受け駆動されるローディング系４８により駆動される。ローディング系４８は、複数の歯車からなる。また、サブデッキ５０も駆動モーター４７からの動力によりＢ方向に往復動自在になる。このようなサブデッキ５０のローディング系は、一般的な公知の技術であるため、その詳述を省く。
【００１６】
　また、メインデッキ４０上には、キャプスタンモーター６１により回転駆動するキャプスタン軸６３が取り付けられる。キャプスタンモーター６１は、リールテーブル５１を駆動させる動力を図示していない動力伝達系を介して供給する。
【００１７】
　また、メインデッキ４０上には、テープの走行をガイドするための複数のガイドポール（図示せず）が取り付けられる。
【００１８】
　摺動部材４３は、ローディング系４８のカム歯車４９に連動して左右、即ち、Ａ方向に往復動する。即ち、カム歯車４９に形成されたカム溝４９ａに摺動部材４３が係合し連動することでＡ方向に移動する。
【００１９】
　一方、本発明の実施の形態に係るピンチローラーユニット７０は、メインデッキ４０上に回動自在に枢支される回動レバー７１と、この回動レバー７１の端部に回転自在に取り付けられるピンチローラー７３と、回動レバー７１に同軸に結合されるトーションばね７５とを具備する。
【００２０】
　回動レバー７１は、一端がメインデッキ４０に回転自在に枢支される。そして、回動レバー７１の先端にはピンチローラー７３が取り付けられる。回動レバー７１には、トーションばね７５の両端を係止するための係止突起７１ａ、７１ｂが設けられる。ピンチローラー７３は、サブデッキ５０のローディング時、キャプスタン軸６３に圧着されてテープの送りをガイドする。
【００２１】
　トーションばね７５は、回動レバー７１の回転中心軸を内挿するようにして同軸に設けられる。このトーションばね７５の両端は、係止突起７１ａ、７１ｂにそれぞれ係止され、抜き止められている。このトーションばね７５は、サブデッキ５０のローディング時に摺動部材４３に押し付けられ圧縮されつつ、回動レバー７１をキャプスタン軸６３側に付勢する。この結果、ピンチローラー７３がキャプスタン軸６３に圧着された状態を保持することができる。このように、トーションばね７５を回動レバー７１に設け、このばねで回動レバーを付勢することにより、従来とは異なって部品点数が少なくて済む。従って、コストの低減、及び組立工程を低減することができ、生産性を向上することができる。
【００２２】
　前記構成を有するピンチローラーユニット７０の動作をサブデッキ５０のローディング動作を通じて部分的に説明すると、次の通りである。
【００２３】
　先ず、図２の状態で、サブデッキ５０にテープカセットが収められると、サブデッキ５０がＢ方向に移動する。即ち、駆動モーター４７の駆動力によりサブデッキ５０がヘッドドラム４１側に移動する。ローディングされるサブデッキ５０は、回動レバー７１から突出している当接突起７１ｃに当接し、回動レバーを押し上げる。このようにしてサブデッキ５０のローディングが完了すると、回動レバー７１が回動し、図３に示すように、ピンチローラー７３がキャプスタン軸６３に当接する。この状態で摺動部材４３はＡ方向、即ち、図面上における左側に移動しながらトーションばね７５の一端を押し付ける。すると、トーションばね７５が圧縮され、トーション力が回動レバー７１に伝わる。この結果、ピンチローラー７３は、キャプスタン軸６３に対し圧着された状態を保持し、その間を通るテープの送りを円滑にガイドすることができるようになる。
【００２４】
　以上、添付図面を参照しながら本発明に係る磁気記録／再生装置のピンチローラーユニットの好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００２５】
【図１】一般の磁気記録／再生装置を示す概略的な平面図である。
【図２】本発明の実施の形態に係るピンチローラーユニットが適用された磁気記録／再生装置を示す概略的な平面図である。
【図３】サブデッキがローディングされた時のピンチローラーユニットの動作を説明するための図である。
【符号の説明】
【００２６】
４０　　メインデッキ
４１　　ヘッドドラム
４３　　摺動部材
４５　　ポールベースユニット
４７　　駆動モーター
４９　　カム歯車
４９ａ　カム溝
５０　　サブデッキ
６１　　キャプスタンモーター
６３　　キャプスタン軸
７０　　ピンチローラーユニット
７１　　回動レバー
７１ａ、７１ｂ　係止突起
７１ｃ　当接突起
７３　　ピンチローラー
７５　　トーションばね
【図１】
2004103227.tif 000003
【図２】
2004103227.tif 000004
【図３】
2004103227.tif 000005